【事件の表示】
　特願２０００−３９２５３０「画像処理条件設定装置、および画像処理条件設定プログラム記憶媒体」拒絶査定不服審判事件〔平成１３年　９月１４日出願公開、特開２００１−２５１５０５〕について、次のとおり審決す
る。
【結　論】
　本件審判の請求は、成り立たない。
【理　由】
１．手続の経緯
　本願は、平成１２年１２月２５日（優先権主張　平成１１年１２月２８
日）の出願であって、平成２０年３月３日付けで拒絶査定がなされ、これに対し、同年４月９日に拒絶査定に対する審判請求がなされたものである。
　
２．本願発明
　本願の請求項１に係る発明（以下、「本願発明」という。）は、平成１９年１２月２８日付けの手続補正書の特許請求の範囲の請求項１に記載された事項により特定される、以下のとおりのものである。
　
「画像処理の内容を規定する画像処理条件を決定し、該画像処理条件を、設定された画像処理条件に基づく画像処理を実行する画像処理装置に設定する画像処理条件設定装置において、
　前記画像処理装置における画像処理の対象となる原画像に応じた画像を取得する画像取得部と、
　前記画像取得部によって取得された画像に基づいて初期画像処理条件を決定する初期画像処理条件決定部と、
　操作に応じて、前記初期画像処理条件決定部によって決定された初期画像処理条件からの所望の偏差を持った画像処理条件を決定する画像処理条件決定部と、
　前記画像処理条件決定部によって決定された画像処理条件を前記画像処理装置に設定する画像処理条件設定部と、
　画像処理条件の、初期画像処理条件からの偏差を規定する複数種類の第１のパラメータで規定されるパラメータ空間内の所定の経路上の各点に付した各値を各パラメータ値とする第２のパラメータの該各パラメータ値と、該各点に相当する、前記複数種類の第１のパラメータそれぞれのパラメータ値の各組合せとの対応関係を規定した対応関係規定部とを備え、
　前記画像処理条件決定部は、操作に応じて前記第２のパラメータのパラ
メータ値の指定を受けるものであって、前記対応関係規定部によって規定された対応関係を参照して、指定された該パラメータ値に対応する、前記複数種類の第１のパラメータそれぞれのパラメータ値の組合せからなる偏差を
持った画像処理条件を決定するものであることを特徴とする画像処理条件設定装置。」
　
３．引用例
　原査定の拒絶の理由に引用された特開平６−２９１９９８号公報（以下、「引用例」という。）には、図面とともに以下の記載がなされている。
　
（１）「【請求項３】画像データで構成される画像を表示する画像表示手段と、
前記画像表示手段に表示された画像に対して、修正すべき特定箇所および当該特定箇所の仕上がり情報を指示する指示手段と、
前記仕上がり情報に係る目標処理データを記憶する記憶手段と、
前記特定箇所の画像データを所定の画像処理条件で処理して得られる処理
データと前記仕上がり情報に係る目標処理データとを比較する比較手段と、
前記比較手段による比較結果に基づき前記画像処理条件を修正する修正手段と、
を備えることを特徴とする画像処理条件設定装置。」
　
（２）「【００２４】すなわち、このシステムでは、図４のフローチャートで示すように、反射型スキャナ１０（または透過型スキャナ１２）に反射型原稿Ｓ（または透過型原稿）をセットした後（ステップＳ２０）、前記反射型原稿Ｓ（または透過型原稿）に記録された画像情報を一旦ラフに読み取るプレスキャンを行う（ステップＳ２１）、透過型スキャナ１２では、このプレスキャンによって得られたプレスキャン画像データに基づき画像処理条件の一部を自動設定することができる。なお、この画像処理条件に基づき、ピクチャーアジャスト、グラデーション、カラーコレクション、ＵＣＲ、
シャープネス等の処理が施される。
【００２５】この場合、透過型スキャナ１２では、前記画像処理条件の一部をファジイ推論のルールを適用して自動的に設定することができる。すなわち、プレスキャンによって得られたプレスキャン画像データは、画像バッ
ファ５４に格納されるとともに、コンソール１４のＣＲＴディスプレイ７２に表示され、その特性値の計算が行われる。この特性値としては、累積ヒストグラムの任意％における濃度（レベル）、画面分割（例えば、１／４、
１／８）した領域毎の累積ヒストグラムの濃度、濃度平均値、最大ピーク濃度、ＹＭＣ毎の累積ヒストグラム等がある。これらの特性値と原稿特性との関係を記述したルールによって、画像処理条件の一部である原稿分類情報が求められる。例えば、次のようなルールによって原稿分類情報を得ることができる。
（ａ）ＩＦ　濃度平均値が非常に低い　ＴＨＥＮ　露光はかなりオーバー
（ｂ）ＩＦ　濃度平均値が低い　　　　ＴＨＥＮ　露光はオーバー
（ｃ）ＩＦ　濃度平均値が少し低い　　ＴＨＥＮ　露光は少しオーバー
（ｄ）ＩＦ　濃度平均値が中位　　　　ＴＨＥＮ　露光はノーマル
（ｅ）ＩＦ　濃度平均値が少し高い　　ＴＨＥＮ　露光は少しアンダー
（ｆ）ＩＦ　濃度平均値が高い　　　　ＴＨＥＮ　露光はアンダー
（ｇ）ＩＦ　濃度平均値が非常に高い　ＴＨＥＮ　露光はかなりアンダー
　以上のように濃度平均値範囲を７つに分類し、各々の領域を（ａ）乃至
（ｇ）で区別する。任意のプレスキャン画像データは上記の７つのルールのどれかに当てはまり、アンダーまたはオーバーの露光が判断される。原稿分類情報としては、他に、ハイキー／ローキー、ハイライト点の有無、絵柄、肌色の有無、色かぶり等があり、上述と同様なファジイ推論のルールを適用することができる。次に、この原稿分類情報から次のルールに従って画像処理条件のセットアップパラメータの設定を行う。
（ａ′）ＩＦ　露光がかなりオーバー　ＴＨＥＮ　ハイライト点濃度は
０．０５
（ｂ′）ＩＦ　露光がオーバー　　　　ＴＨＥＮ　ハイライト点濃度は
０．１０
（ｃ′）ＩＦ　露光が少しオーバー　　ＴＨＥＮ　ハイライト点濃度は
０．１５
（ｄ′）ＩＦ　露光がノーマル　　　　ＴＨＥＮ　ハイライト点濃度は
０．２０
（ｅ′）ＩＦ　露光が少しアンダー　　ＴＨＥＮ　ハイライト点濃度は
０．３０
（ｆ′）ＩＦ　露光がアンダー　　　　ＴＨＥＮ　ハイライト点濃度は
０．４０
（ｇ′）ＩＦ　露光がかなりアンダー　ＴＨＥＮ　ハイライト点濃度は
０．５０
以上のようにしてセットアップパラメータの自動設定を行うことができる。また、仕上がり情報に対してはオペレータの指示に基づき後述するようにしてセットアップパラメータを設定することができる（ステップＳ２２）。」
　
（３）「【００２６】以上のようにして画像処理条件が設定されると、次
に、反射型スキャナ１０（または透過型スキャナ１２）は反射型原稿Ｓ（または透過型原稿）に記録された画像情報を精細に読み取る本スキャンを行う（ステップＳ２３）。前記本スキャンによって得られた本スキャン画像データは、ステップＳ２２で設定された画像処理条件に基づき画像処理回路５８で所望の画像処理がなされた後、出力装置１６に転送され、画像が再生出力される（ステップＳ２４）。
【００２７】そこで、次に、図４のステップＳ２２における画像処理条件の設定の際の仕上がり情報に係るセットアップパラメータの設定方法について説明する。
【００２８】ここで、画像処理条件の設定に際し、コンソール１４のＣＲＴディスプレイ７２には、図５に示す画面が表示される。すなわち、この画面には、ステップＳ２１のプレスキャンによって得られた画像が表示されるとともに、オペレータが選択する仕上がり情報が表示される。この仕上がり情報は、例えば、明るさ指示と仕上がり指示とに分類されており、明るさ指示では、「明るく」、「やや明るく」、「暗く」、「やや暗く」、「原稿通
り」といった明るさの指示をマウス７６を用いて選択することができる。また、仕上がり指示では、「美しい肌」、「グレイに揃える」、「美しい
空」、「美しい緑」を選択することができる。」
　
　したがって、引用例には次の発明（以下、「引用発明」という。）が記載されているといえる。
　
「設定された画像処理条件に基づき画像処理回路で所望の画像処理がなされる画像処理条件設定装置において、
　スキャナと、
　スキャナによって得られた画像データに基づき画像処理条件であるセットアップパラメータを自動設定することができ、
　また、画像処理条件の設定の際の仕上がり情報に対しては、オペレータの指示に基づき、明るさ指示では、「明るく」、「やや明るく」、「暗く」、「やや暗く」、「原稿通り」といった明るさの指示を選択することで、セットアップパラメータを設定することができる画像処理条件設定装置。」
　
　また、拒絶査定において周知例として示された特開平８−３０７６８６号公報（以下、「周知例」という。）には、図面とともに以下の記載がなされている。
　
（４）「【０００９】
【発明が解決しようとする課題】しかしながら、上述した階調補正テーブルの作成手法はビデオプリンタを使用する一般のユーザには非常に難しいものである。即ち、ハイライト部、ミドル部及びシャドウ部の３つの変量カーブにそれぞれ係数を掛けて基本カーブに加算合成した段階では合成されたカーブはａ，ｂ，ｃを係数として
　　　ｙ＝ｆ（ｘ）＋ａＨ（ｘ）＋ｂＭ（ｘ）＋ｃＳ（ｘ）　　…(1)
で表され、従ってユーザはこれらａ，ｂ，ｃの３つの係数を設定しなければならないのであるが、一般のユーザにとっては３つもの係数を設定するのは面倒であり、しかも一般のユーザにとってはこれらの係数をどのような値に設定したらよいのか、どのような値の場合にどのような画像が得られるのかをイメージすることは非常に難しいものである。」
　
（５）「【００１３】
【作用及び発明の効果】入力手段は階調補正のステップを設定するものである。例えば、「明るく」、「やや明るく」、「通常」、「やや暗く」、「暗く」の５つの階調補正ステップが用意されているものとすると、ユーザはこの５つのステップの中から所望のステップを入力手段によって選択する。
【００１４】階調補正のステップが設定されると、階調補正テーブル作成手段は、この設定されたステップに基づいて、当該階調補正のステップを実現するためのテーブルを生成する。この階調補正テーブルを作成するための基本カーブ及び変量カーブに関するパラメータは予め階調補正テーブル作成手段に登録されている。
【００１５】このように本発明によれば、ユーザは階調補正のステップを選択するという非常に簡単な操作を行うだけで所望の階調補正を行うことができる。そして、階調補正のステップを上記のような表示にすればユーザにとって非常に分かり易いものとなり、しかもユーザはハードコピーとして出力される画像をイメージすることが容易となる。」
　
（６）「【００３０】次に、テーブル作成部５の動作について説明するが、ここでは理解を容易にするために基本カーブは図７Ａに示すと同様にｘ軸と一致しているとする。また、変量カーブについては種々の関数を用いることができるが、ここでは次の多項式で現される関数を用いるものとする。
　　　　　　　ｙ＝ｋ・ｘn・（１−ｘ）m　　　　　　　　　…(2)
ここで、1 ≦ｘ≦ 0であり、ｋは定数、ｎ，ｍは自然数である。
【００３１】ところで、この式にはｋ，ｎ，ｍの３つのパラメータがある。これらのパラメータをユーザに設定させるようにするのでは従来と同様に非常に操作が面倒なものとなる。従って、本発明においてはこれらのパラメータの値は予め定められている。
【００３２】即ち、ｋの値はテーブル作成部５に階調補正のステップ毎に登録されている。例えば、テーブル作成部５は、図２に示す階調補正のステップの選択のメニュー画面において、「明るく」が選択された場合にはｋ＝ｋ1 とし、「やや明るく」が選択された場合にはｋ＝ｋ2 とし、「やや暗く」が選択された場合にはｋ＝ｋ3 とし、「暗く」が選択された場合にはｋ＝ｋ4 として階調補正テーブルを作成する。
……
【００３８】また、ｎとｍの組み合わせについては次のようである。(2) 式で現される関数は、ｎとｍの組み合わせによって図３に示すように異なる
カーブを描く。なお、図３のＡ〜Ｉのカーブのｎとｍの組み合わせは図４に示すようである。
【００３９】このように(2) 式を用いた場合にはｎとｍの組み合わせによって種々のカーブが得られるのであるが、変量カーブとしてどのカーブを用いるかは、ｋの値が階調補正のステップ毎に定められていると同様に、テーブル作成部５に階調補正のステップ毎に登録されている。ここでは「明る
く」、「やや明るく」、「やや暗く」、「暗く」の全ての階調補正のステップについて図３のＩで示されるカーブを使用するように登録されているものとする。」
　
（７）「【００５２】以上、本発明の実施例について説明したが、本発明は上記実施例に限定されるものではなく、種々の変形が可能である。例えば、上述したｋの値及び変量カーブとして使用するカーブはあくまでも一例に過ぎないものであり、(2) 式のｋの値を各階調補正のステップでどのように設定するか、変量カーブとして図３のどのカーブを使用するかは必要に応じて適宜定めることができるものである。
【００５３】また、上記実施例では変量カーブを作成する関数として(2) 式を用いたが、適宜な関数を用いることができることは当業者に明らかであ
る。
【００５４】更に、上記実施例では基本カーブとして直線を用いたが、任意の曲線を用いることができることも当業者に明らかである。」
　
４．対比
　引用発明のスキャナは、画像処理装置における画像処理の対象となる原画像に応じた画像を取得する機能の点で、本願発明の画像取得部と共通する。
　引用発明において「スキャナによって得られた画像データに基づき画像処理条件であるセットアップパラメータを自動設定すること」は、画像取得部によって取得された画像に基づいて初期画像処理条件を決定する機能の点
で、本願発明の初期画像処理条件決定部と共通する。
　引用発明において「画像処理条件の設定の際の仕上がり情報に対しては、オペレータの指示に基づき、明るさ指示では、「明るく」、「やや明る
く」、「暗く」、「やや暗く」、「原稿通り」といった明るさの指示を選択することで、セットアップパラメータを設定すること」は、「明るく」、
「やや明るく」、「暗く」、及び「やや暗く」というのが、定量的ではないものの、定性的に所望の偏差を示すものといえるので、操作に応じて、所望の偏差を持った画像処理条件を決定する機能の点で、本願発明の画像処理条件決定部と共通する。
　したがって、本願発明と引用発明とを対比すると、次の点で一致する。
　
「画像処理の内容を規定する画像処理条件を決定し、該画像処理条件を、設定された画像処理条件に基づく画像処理を実行する画像処理装置に設定する画像処理条件設定装置において、
　前記画像処理装置における画像処理の対象となる原画像に応じた画像を取得する画像取得部と、
　前記画像取得部によって取得された画像に基づいて初期画像処理条件を決定する初期画像処理条件決定部と、
　操作に応じて、所望の偏差を持った画像処理条件を決定する画像処理条件決定部と、
　前記画像処理条件決定部によって決定された画像処理条件を前記画像処理装置に設定する画像処理条件設定部と、
を備えた画像処理条件設定装置。」
　
　また次の点で相違する。
　
　相違点１
　本願発明の画像処理条件決定部は、「操作に応じて、前記初期画像処理条件決定部によって決定された初期画像処理条件からの所望の偏差を持った画像処理条件を決定する」のに対して、引用発明では「「明るく」、「やや明るく」、「暗く」、「やや暗く」、「原稿通り」といった明るさの指示」が「初期画像処理条件決定部によって決定された初期画像処理条件」である自動設定されたセットアップパラメータからの所望の偏差となっているのかどうか明らかでない点。
　
　相違点２
　本願発明は、「画像処理条件の、初期画像処理条件からの偏差を規定する複数種類の第１のパラメータで規定されるパラメータ空間内の所定の経路上の各点に付した各値を各パラメータ値とする第２のパラメータの該各パラ
メータ値と、該各点に相当する、前記複数種類の第１のパラメータそれぞれのパラメータ値の各組合せとの対応関係を規定した対応関係規定部とを備
え、
　前記画像処理条件決定部は、操作に応じて前記第２のパラメータのパラ
メータ値の指定を受けるものであって、前記対応関係規定部によって規定された対応関係を参照して、指定された該パラメータ値に対応する、前記複数種類の第１のパラメータそれぞれのパラメータ値の組合せからなる偏差を
持った画像処理条件を決定する」としているのに対して、引用発明では「オペレータの指示に基づき、明るさ指示では、「明るく」、「やや明るく」、「暗く」、「やや暗く」、「原稿通り」といった明るさの指示を選択することで、セットアップパラメータを設定することができる」ものであるが、具体的にどのようにしてセットアップパラメータが設定されるのか明らかでない点。
　
５．相違点に対する判断
　相違点１について
　引用発明は、セットアップパラメータを自動設定することができ、また、オペレータの指示に基づき、明るさの指示を選択することで、セットアップパラメータを設定することができるものであり、セットアップパラメータの自動設定には、上記３．（２）に「（ａ′）ＩＦ　露光がかなりオーバー　ＴＨＥＮ　ハイライト点濃度は０．０５」等と記載されているように、明るさに関するものもある。
　このような自動設定されたセットアップパラメータを考慮することなく、オペレータが明るさの指示を選択すると、意図した明るさに、さらに、自動設定されたセットアップパラメータによる画像処理が加わることになり、不都合であることは明らかである。セットアップパラメータが自動設定された明るさに対して、その上で、さらに、明るさの指示を選択することで、セットアップパラメータを設定するのでなければ、オペレータは意図した明るさを選択できない。
　したがって、引用発明のような、セットアップパラメータを自動設定することができ、また、オペレータの指示に基づき、セットアップパラメータを設定することができるものにおいて、自動設定されたセットアップパラメータに対して、その上で、さらに、オペレータの指示を加えるようにすることは、当業者であれば当然に配慮する程度のことであるから、本願発明の画像処理条件決定部が、「操作に応じて、前記初期画像処理条件決定部によって決定された初期画像処理条件からの所望の偏差を持った画像処理条件を決定する」としている点に格別の点はない。
　
　相違点２について
　上記３．（４）ないし３．（７）のように、周知例には、「明るく」、
「やや明るく」、「やや暗く」、「暗く」といった「通常」からの偏差を示すといえる階調補正のステップについて、階調補正に用いる関数の複数のパラメータ（ｋ，ｎ，ｍ）を予め定めておくことが記載されている。
　本願発明の「対応関係規定部」は、具体的には段落【００８２】に記載された【表１】のように、ファンクションパラメータ「明るさ」のパラメータ値−３，−２，−１，０，１，２，３それぞれにおける、各パラメータ値と複数の基本パラメータそれぞれのパラメータ値（ハイライト点に対応する設定濃度等）の各組合せとの対応関係を示すものであるから、上記周知例の階調補正のステップについて複数のパラメータ（ｋ，ｎ，ｍ）を予め定めておくことは、本願発明の「対応関係規定部」の機能に相当するものである。
　そして、引用発明において、「明るく」、「やや明るく」、「暗く」、
「やや暗く」、「原稿通り」といった明るさの指示を選択することで、セットアップパラメータを設定する点を、周知例のように、それに対する具体的な複数のパラメータを予め定めておくことで実現することに困難な点はないから、引用発明において相違点２を本願発明のようにすることは、当業者が容易になしえることである。
　
６．むすび
　以上のとおり、本願発明は、引用発明に基づいて、当業者が容易に発明をすることができたものであるから、特許法第２９条第２項の規定により特許を受けることができない。
　よって、結論のとおり審決する。